【事件の表示】
　特願２０１５−５４４７７４「電子機器」拒絶査定不服審判事件〔平成２７年　５月　７日国際公開、ＷＯ２０１５／０６４００８〕について、次のとおり審決する。
【結　論】
　本件審判の請求は、成り立たない。
【理　由】
１．手続の経緯 
　本願は、２０１４年（平成２６年）９月２６日（優先権主張　平成２５年１０月２８日）を国際出願日とする出願であって、平成２８年９月１４日付けで拒絶理由通知がなされ、平成２８年１１月１８日に意見書が提出され、平成２９年２月１０日付けで拒絶査定がなされ、平成２９年５月１２日に拒絶査定不服審判の請求がなされたものである。
２．本願発明
　本願の請求項１ないし４に係る発明は、特許請求の範囲の請求項１ないし４に記載された事項により特定されるものと認められるところ、その請求項１に係る発明（以下、「本願発明」という。）は、次のとおりのものである。
「【請求項１】
　表面および背面にタッチセンサを有する電子機器であって、
　背面のタッチセンサの操作を検出すると、表示中の画面をクローズさせる制御部
を備えることを特徴とする電子機器。」
３．引用文献１、引用発明について
　原査定の拒絶の理由に引用され、本願優先日前に公開された、特開２０１３−２００８８２号公報（以下、「引用文献１」という。）には、図面とともに以下の記載がある（下線は、特に着目した箇所を示す。以下同様。）。
（１）　段落【００１７】−【００１８】
「【００１７】
　図１は、本発明の一実施形態に係る情報処理装置１０の外観の一例を示す斜視図である。また、図２は、情報処理装置１０の構成を示す構成ブロック図である。これらの図に示すように、
情報処理装置１０は、制御部１１と、記憶部１２と、画像処理部１３と、表示部１４と、タッチセンサ１５と、操作ボタン１６と、を含んで構成され
【００１８】
　
制御部１１は、例えばＣＰＵ等であって、記憶部１２に格納されているプログラムに従って、各種の情報処理を実行
（２）　段落【００５３】
「【００５３】
　本実施形態において、画像切り替え操作は、画面Ｓの一辺に沿った方向を指示する操作である。具体的に、
メニュー画像Ｉｍ又はボード画像Ｉｂが表示された状態において、画面Ｓの
Ｘ軸正方向又はＸ軸負方向
を指示するスライド操作をユーザが行った場合に、画像切替部２４は、このスライド操作を画像切り替え操作として受け付け
（３）　段落【００６３】
「【００６３】
　
スクロール制御部２５は、ボード画像Ｉｂが表示された状態でユーザがスクロールを指示する操作を行った場合に、当該操作に応じたスクロール制御を行
具体的に、
ユーザは、ボード画像Ｉｂが表示された状態において、Ｙ軸正方向又はＹ軸負方向へのスライド操作を行うことで、スクロールを指示
（４）　段落【００９４】−【００９７】
「【００９４】
　次に、ボード画像Ｉｂの表示終了処理、及び表示終了制限処理について、説明する。これまで説明したように、所定の上限数Ｎを超える数のメニュー項目画像Ｉｃが選択されると、過去に選択されたメニュー項目画像Ｉｃに対応するボード画像Ｉｂは、古いものから順に、画像切替部２４の切り替え対象から除外されていく。しかし、これ以外にも、
ユーザは自分が表示させたボード画像Ｉｂの表示を明示的に終了させたい場合
いずれかのボード画像Ｉｂが表示された状態においてユーザが所定の表示終了操作を行った場合には、ボード画像表示制御部２２が当該ボード画像Ｉｂの表示を終了
ボード画像表示制御部２２は、
当該表示を終了するボード画像Ｉｂに対応するプログラムＩＤの一つ後に選択順記憶領域Ｍに格納されたプログラムＩＤに対応するボード画像Ｉｂ又はメニュー画像Ｉｍを再表示
　　　・・・（中略）・・・
【００９６】
　ここで、表示終了操作は、操作の対象となるボード画像Ｉｂがボード表示領域Ａｂに表示された状態において、所定の操作対象領域Ａｃに対して、第１の方向を指示する操作である。
具体的に、
表示終了操作は、ボード表示領域Ａｂの右上隅に設けられた操作対象領域Ａｃに対して、斜め左下方向
を指示するスライド操作であ
【００９７】
　また、表示終了制限操作は、操作の対象となるボード画像Ｉｂがボード表示領域Ａｂに表示された状態において、表示終了操作と同じ操作対象領域Ａｃに対して、表示終了操作の指示方向である第１の方向とは異なる第２の方向を指示する操作である。具体的に、本実施形態では、表示終了制限操作は、操作対象領域Ａｃに対して、表示終了操作の指示方向とは反対方向である斜め右上方向を指示するスライド操作であることとする。さらに、表示終了操作は、この操作対象領域Ａｃ内の一点を終点として、操作対象領域Ａｃ外から当該終点へ向かうスライド操作になっている。」
（５）　段落【０１００】
「【０１００】
　また、
ボード画像表示制御部２２は、ユーザによる表示終了操作が開始されたと判定した場合に、当該操作が開始されたことを示す操作中画像Ｉｇ２を画面Ｓに表示させ
図１４
操作中画像Ｉｇ２として、操作位置案内画像Ｉｇよりも背景画像Ｉｗが大きくめくれた様子を示す画像が表示され
この操作中画像Ｉｇ２は、ユーザがスライド操作を継続するにしたがって、その操作量に応じてより背景画像Ｉｗが大きくめくれていくように更新され
ユーザは、直感的に表示終了操作が行われようとしていることを理解でき
（６）　段落【０１０３】
「【０１０３】
　なお、本発明の実施の形態に係る
情報処理装置
情報処理装置１０は、画面Ｓに重ねて配置されるタッチセンサ１５に代えて、又はこれに加えて、情報処理装置１０の筐体の裏面側（画面Ｓが配置された面の裏側）にタッチセンサを備え
この場合、この裏面側のタッチセンサも、画面Ｓに対応した検出面を備えており、当該タッチセンサ上でユーザは指などを移動させるスライド操作を行うことで、スクロール指示や画像切り替えの指示などを行う
（７）　段落【０１１１】
「【０１１１】
　なお、以上説明したシンボル画像の表示処理や、表示終了操作、及び表示終了制限操作に応じた処理は、以上説明したようなそれぞれプログラムに関連するボード画像Ｉｂに限らず、種々の画像を切り替えて表示する情報処理装置に適用可能である。一例として、複数のタブを切り替えて表示するタブブラウザにこのような技術を適用した場合について、以下に説明する。・・・（以下略）・・・」
　よって、上記各記載事項を関連図面に照らし、下線部に着目すれば、引用文献１には、次の発明（以下、「引用発明」という。）が記載されているといえる。
「情報処理装置１０は、制御部１１と、記憶部１２と、画像処理部１３と、表示部１４と、タッチセンサ１５と、操作ボタン１６と、を含んで構成され、
　制御部１１は、例えばＣＰＵ等であって、記憶部１２に格納されているプログラムに従って、各種の情報処理を実行し、
　メニュー画像Ｉｍ又はボード画像Ｉｂが表示された状態において、画面ＳのＸ軸正方向又はＸ軸負方向を指示するスライド操作をユーザが行った場合に、画像切替部２４は、このスライド操作を画像切り替え操作として受け付け、
　スクロール制御部２５は、ボード画像Ｉｂが表示された状態でユーザがスクロールを指示する操作を行った場合に、当該操作に応じたスクロール制御を行い、
　具体的に、ユーザは、ボード画像Ｉｂが表示された状態において、Ｙ軸正方向又はＹ軸負方向へのスライド操作を行うことで、スクロールを指示し、
　ユーザは自分が表示させたボード画像Ｉｂの表示を明示的に終了させたい場合、いずれかのボード画像Ｉｂが表示された状態においてユーザが所定の表示終了操作を行った場合には、ボード画像表示制御部２２が当該ボード画像Ｉｂの表示を終了し、ボード画像表示制御部２２は、当該表示を終了するボード画像Ｉｂに対応するプログラムＩＤの一つ後に選択順記憶領域Ｍに格納されたプログラムＩＤに対応するボード画像Ｉｂ又はメニュー画像Ｉｍを再表示し、
　具体的に、表示終了操作は、ボード表示領域Ａｂの右上隅に設けられた操作対象領域Ａｃに対して、斜め左下方向を指示するスライド操作であり、
　ボード画像表示制御部２２は、ユーザによる表示終了操作が開始されたと判定した場合に、当該操作が開始されたことを示す操作中画像Ｉｇ２を画面Ｓに表示させ、操作中画像Ｉｇ２として、操作位置案内画像Ｉｇよりも背景画像Ｉｗが大きくめくれた様子を示す画像が表示され、この操作中画像Ｉｇ２は、ユーザがスライド操作を継続するにしたがって、その操作量に応じてより背景画像Ｉｗが大きくめくれていくように更新され、ユーザは、直感的に表示終了操作が行われようとしていることを理解でき、
　情報処理装置１０は、画面Ｓに重ねて配置されるタッチセンサ１５に代えて、又はこれに加えて、情報処理装置１０の筐体の裏面側（画面Ｓが配置された面の裏側）にタッチセンサを備え、この場合、この裏面側のタッチセンサも、画面Ｓに対応した検出面を備えており、当該タッチセンサ上でユーザは指などを移動させるスライド操作を行うことで、スクロール指示や画像切り替えの指示などを行う、
　情報処理装置。」
４．対比
　本願発明と引用発明とを対比する。
　
（１）　引用発明の「情報処理装置１０」は、後述する相違点を除き、本願発明の「電子機器」に対応する。
　引用発明の「タッチセンサ１５」は、本願発明の「表面」側の「タッチセンサ」に相当する。
　引用発明の「情報処理装置１０の筐体の裏面側（画面Ｓが配置された面の裏側）に」備えられる「タッチセンサ」は、本願発明の「裏面」側の「タッチセンサ」に相当する。
　よって、「
画面Ｓに重ねて配置されるタッチセンサ１５に
これに加えて、情報処理装置１０の筐体の裏面側（画面Ｓが配置された面の裏側）にタッチセンサを備え
　
（２）　引用発明の「例えばＣＰＵ等であって、記憶部１２に格納されているプログラムに従って、各種の情報処理を実行」する「制御部１１」は、後述する相違点を除き、本願発明の「制御部」に対応する。
　引用発明の「
裏面側のタッチセンサも
画面Ｓ
スライド操作を行うことで
スクロール指示や画像切り替えの指示などを行う
　したがって、本願発明と引用発明との間には、次の一致点・相違点があるといえる。
　
［一致点］
「表面および背面にタッチセンサを有する電子機器であって、
　背面のタッチセンサの操作を検出すると、表示中の画面を制御する制御部
を備えることを特徴とする電子機器。」
［相違点］
　本願発明では、背面のタッチセンサの操作を検出すると、「表示中の画面をクローズさせる」のに対して、引用発明では、「裏面側のタッチセンサ」上で、「ユーザは指などを移動させるスライド操作を行うことで、スクロール指示や画像切り替えの指示などを行う」ものであって、裏面側へのタッチセンサの操作を検出すると、「表示中の画面をクローズさせる」ことは、特定がなされていない点。
５．当審の判断
［相違点］について
　引用発明では、裏面側のタッチセンサ上でのスライド操作として、「スクロール指示や画像切り替えの指示
など
　ここで、引用発明は、表面側のタッチセンサ１５に対して、水平方向（Ｘ軸方向）と垂直方向（Ｙ軸方向）のスライド操作に、「画像切り替え」と「スクロール指示」を割り当てるとともに、所定の操作対象領域Ａｃからの斜め方向のスライド操作に、「ボード画像Ｉｂの表示を終了」する処理を割り当てるものである。
　また、引用発明において、「
ボード画像Ｉｂが表示された状態において
当該ボード画像Ｉｂの表示を終了し
当該表示を終了するボード画像Ｉｂ
の一つ後に選択順記憶領域Ｍに格納された
ード画像Ｉｂ
を再表示
その操作量に応じてより背景画像Ｉｗが大きくめくれていくように更新され
　よって、引用発明の裏面側のタッチセンサについても、表面側のタッチセンサ１５と同様に、水平方向（Ｘ軸方向）と垂直方向（Ｙ軸方向）のスライド操作に、「画像切り替え」と「スクロール指示」を割り当てるとともに、所定の操作対象領域からの斜め方向のスライド操作に、「ボード画像Ｉｂの表示を終了」する処理を割り当てるように構成することによって、背面のタッチセンサの操作を検出すると、「表示中の画面をクローズさせる」ように構成して、上記［相違点］に係る本願発明の構成とすることは、引用発明の具体化において、当業者であれば容易に推考し得ることである。
　さらに、本願発明の効果も、引用発明に基づいて、当業者が予測し得る範囲内のものである。
　
６．むすび
　したがって、本願発明は、引用発明に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。